(57)【要約】      （修正有）【課題】引戸パネルの下端側をガイドする部材が障害になり難い引戸装置及び下端ガイド構造を提供する。【解決手段】引戸装置１は、壁体３に設けられた出入口６を開閉する引戸パネル１０と、この引戸パネル１０の上端部に設けられた被ガイド部材１１，１５を吊下支持し、かつ壁体３の壁面３ａと平行状にガイドする直線部及び壁面３ａに対して交差するように斜め戸厚方向にガイドする斜行部を有した上レール３０と、床側に埋込状に配されるケーシングに対して上下動自在に被吸引部を有した柱状部が保持され引戸パネル１０の下端側をガイドする複数の下端ガイド部材と、を備えており、引戸パネル１０の下端部には、引戸パネル１０が壁面３ａと平行状に移動する際に磁力によって吸引されて突出された前記柱状部が挿入される戸幅方向に延びる直線被ガイド溝と、斜め戸厚方向に延びる斜行被ガイド溝と、が下端面において下方側に向けて開口するように設けられている。【選択図】図１
2020105833.tif 000002
【特許請求の範囲】
【請求項１】
壁体に設けられた出入口を開閉する引戸パネルと、この引戸パネルの上端部に設けられた被ガイド部材を吊下支持し、かつ前記壁体の壁面と平行状にガイドする直線部及び前記出入口の部位において前記壁面に対して交差するように斜め戸厚方向にガイドする斜行部を有した上レールと、床側に埋込状に配されるケーシングに対して上下動自在に被吸引部を有した柱状部が保持され、前記引戸パネルの下端側をガイドする複数の下端ガイド部材と、を備えており、
前記引戸パネルの下端部には、当該引戸パネルが前記壁面と平行状に移動する際に磁力によって吸引されて突出された前記柱状部が挿入される戸幅方向に延びる直線被ガイド溝と、当該引戸パネルが前記斜め戸厚方向に移動する際に磁力によって吸引されて突出された前記柱状部が挿入される斜め戸厚方向に延びる斜行被ガイド溝と、が下端面において下方側に向けて開口するように設けられていることを特徴とする引戸装置。
【請求項２】
請求項１において、
前記斜行被ガイド溝は、前記引戸パネルにおける前記壁面に対面する側の面において開口していることを特徴とする引戸装置。
【請求項３】
請求項１または２において、
前記斜行被ガイド溝は、前記引戸パネルにおける前記壁面に対面する側とは戸厚方向で逆側の面において開口していることを特徴とする引戸装置。
【請求項４】
請求項１乃至３のいずれか１項において、
前記直線被ガイド溝は、前記引戸パネルの戸幅方向の全長に亘って設けられ、前記斜行被ガイド溝は、該直線被ガイド溝を横断するように設けられていることを特徴とする引戸装置。
【請求項５】
請求項１乃至３のいずれか１項において、
前記直線被ガイド溝と前記斜行被ガイド溝とは、非連通状に区分して設けられていることを特徴とする引戸装置。
【請求項６】
上レールに吊下支持され、壁体に設けられた出入口を開閉する引戸パネルの下端側を、床側に埋込状に配されるケーシングに対して上下動自在に被吸引部を有した柱状部を保持させた構造とされた複数の下端ガイド部材によってガイドする下端ガイド構造であって、
前記引戸パネルの下端部に設けられた戸幅方向に延びる直線被ガイド溝に磁力によって吸引されて挿入され、前記上レールに上端側がガイドされて前記壁面と平行状に移動する該引戸パネルの下端側をガイドする下端ガイド部材を前記壁面の戸厚方向一方側に設け、
前記引戸パネルの下端部に設けられた斜め戸厚方向に延びる斜行被ガイド溝に磁力によって吸引されて挿入され、前記上レールに上端側がガイドされて前記出入口の部位において前記壁面に対して交差するように斜め戸厚方向に移動する該引戸パネルの下端側をガイドする下端ガイド部材を、前記壁面と平行状に移動する該引戸パネルの下端側をガイドする下端ガイド部材よりも戸厚方向で出入口側に位置するように設けた構造とされていることを特徴とする下端ガイド構造。
【発明の詳細な説明】
【技術分野】
【０００１】
本発明は、出入口を開閉する引戸パネルを備えた引戸装置及び引戸パネルの下端ガイド構造に関する。
【背景技術】
【０００２】
従来より、壁面に対してアウトセット状に配されて開閉自在とされる引戸パネルを備えた引戸装置や戸袋納めとされる引戸パネルを備えた引戸装置が知られている。このような引戸装置では、閉鎖位置において引戸パネルと壁面との間に戸厚や戸袋を区画する一方の戸袋壁の壁厚に応じた段差が形成され、該段差が目立ち易くなる傾向があった。
例えば、下記特許文献１には、引戸の上部に間隔を空けて設けられたローラユニットを案内する二本の案内レールに直線レールと斜め方向に伸びる引込みレールとを設け、閉じた状態の引戸の表面と壁面とをフラットにできる引戸具が開示されている。また、この引戸具は、引戸の下部の端部にブラケットを介して取り付けられ底面に略Ｌ字形の案内溝を有する案内体の案内溝に挿入される第一のピン体と、引戸の底面に形成された幅方向に細長く伸びる引戸溝に挿入される第二のピン体と、を備えた構成とされている。
【先行技術文献】
【特許文献】
【０００３】
【特許文献１】特許第４８１８３６２号公報
【発明の概要】
【発明が解決しようとする課題】
【０００４】
しかしながら、上記特許文献１に記載された引戸具では、案内体の案内溝及び引戸溝に挿入されていない状態のピン体が床部から突出し、また、引戸の下部の端部から案内体が突出する構成となるため、更なる改善が望まれる。
【０００５】
本発明は、上記実情に鑑みてなされたものであり、閉鎖位置における引戸パネルと壁面との段差を小さくすることが可能でありながらも、引戸パネルの下端側をガイドする部材が障害になり難い引戸装置及び下端ガイド構造を提供することを目的としている。
【課題を解決するための手段】
【０００６】
前記目的を達成するために、本発明に係る引戸装置は、壁体に設けられた出入口を開閉する引戸パネルと、この引戸パネルの上端部に設けられた被ガイド部材を吊下支持し、かつ前記壁体の壁面と平行状にガイドする直線部及び前記出入口の部位において前記壁面に対して交差するように斜め戸厚方向にガイドする斜行部を有した上レールと、床側に埋込状に配されるケーシングに対して上下動自在に被吸引部を有した柱状部が保持され、前記引戸パネルの下端側をガイドする複数の下端ガイド部材と、を備えており、前記引戸パネルの下端部には、当該引戸パネルが前記壁面と平行状に移動する際に磁力によって吸引されて突出された前記柱状部が挿入される戸幅方向に延びる直線被ガイド溝と、当該引戸パネルが前記斜め戸厚方向に移動する際に磁力によって吸引されて突出された前記柱状部が挿入される斜め戸厚方向に延びる斜行被ガイド溝と、が下端面において下方側に向けて開口するように設けられていることを特徴とする。
【０００７】
また、前記目的を達成するために、本発明に係る下端ガイド構造は、上レールに吊下支持され、壁体に設けられた出入口を開閉する引戸パネルの下端側を、床側に埋込状に配されるケーシングに対して上下動自在に被吸引部を有した柱状部を保持させた構造とされた複数の下端ガイド部材によってガイドする下端ガイド構造であって、前記引戸パネルの下端部に設けられた戸幅方向に延びる直線被ガイド溝に磁力によって吸引されて挿入され、前記上レールに上端側がガイドされて前記壁面と平行状に移動する該引戸パネルの下端側をガイドする下端ガイド部材を前記壁面の戸厚方向一方側に設け、前記引戸パネルの下端部に設けられた斜め戸厚方向に延びる斜行被ガイド溝に磁力によって吸引されて挿入され、前記上レールに上端側がガイドされて前記出入口の部位において前記壁面に対して交差するように斜め戸厚方向に移動する該引戸パネルの下端側をガイドする下端ガイド部材を、前記壁面と平行状に移動する該引戸パネルの下端側をガイドする下端ガイド部材よりも戸厚方向で出入口側に位置するように設けた構造とされていることを特徴とする。
【発明の効果】
【０００８】
本発明に係る引戸装置及び下端ガイド構造は、上述のような構成としたことで、閉鎖位置における引戸パネルと壁面との段差を小さくすることが可能でありながらも、引戸パネルの下端側をガイドする部材を障害になり難くすることができる。
【図面の簡単な説明】
【０００９】
【図１】（ａ）〜（ｃ）は、本発明の一実施形態に係る引戸装置の一例を模式的に示す一部破断概略横断面図である。
【図２】同引戸装置の一部破断概略分解斜視図である。
【図３】（ａ）は、同引戸装置が備える戸先側被ガイド部材の一例を模式的に示す一部省略概略斜視図、（ｂ）は、同引戸装置が備える戸尻側被ガイド部材の一例を模式的に示す一部省略概略斜視図である。
【図４】（ａ）は、図１（ａ）におけるＸ１−Ｘ１線矢視に対応させた一部破断概略縦断面図、（ｂ）は、図１（ａ）におけるＸ２−Ｘ２線矢視に対応させた一部破断概略縦断面図である。
【図５】（ａ）は、図４（ａ）におけるＹ１−Ｙ１線矢視に対応させた一部破断概略横断面図、（ｂ）、（ｃ）は、図４（ａ）におけるＹ２−Ｙ２線矢視に対応させた一部破断概略横断面図である。
【図６】（ａ）〜（ｃ）は、同引戸装置及びこれを用いた下端ガイド構造の一例を模式的に示す一部破断概略底面図である。
【図７】（ａ）〜（ｃ）は、本発明の他の実施形態に係る引戸装置及びこれを用いた下端ガイド構造の一例を模式的に示す一部破断概略底面図である。
【発明を実施するための形態】
【００１０】
以下に本発明の実施の形態について、図面に基づいて説明する。
なお、一部の図では、他図に付している詳細な符号の一部を省略している。
また、以下の各実施形態では、各実施形態に係る引戸装置を施工した状態を基準として上下方向等の方向を説明する。
【００１１】
図１〜図６は、第１実施形態に係る引戸装置の一例及びこれを用いた下端ガイド構造の一例を模式的に示す図である。
本実施形態に係る引戸装置１は、図１（ａ）〜（ｃ）及び図２に示すように、壁体３に設けられた出入口６を開閉する引戸パネル１０と、壁体３の壁面３ａに沿うように配され、引戸パネル１０の上端側をガイドする上レール３０と、を備えている。
壁体３は、住居等の建物内を区画する間仕切壁であってもよく、どのような壁でもよい。図１（ａ）に示すように、この壁体３の壁厚方向一方側の壁面３ａに沿うように全開位置の引戸パネル１０が配される。なお、この壁体３の全開位置の引戸パネル１０が沿わせられる壁面３ａに対面した状態を基準として手前側を前方として前後方向を説明する場合がある。また、引戸装置１は、この壁体３の手前側空間が廊下等の比較的に小さい空間に配設されるものでもよく、種々の箇所に設置されるものでもよい。
【００１２】
出入口６は、壁体３を貫通するように設けられている。この出入口６は、床２から図示省略の略天井に至るまでの開口高とされたものでもよく、上側が垂れ壁によって区画されたものでもよい。また、図例では、出入口６の開口幅方向両側を、開口枠を構成する縦枠４，５によって区画した例を示している。図１（ｃ）に示すように、閉鎖位置の引戸パネル１０の戸先側端部が近接される戸先側縦枠４の見込方向一方側（前方側）端部に、引戸パネル１０の戸先側端部を受け入れる切欠状の凹所を設けた例を示している。また、閉鎖位置の引戸パネル１０の戸尻側端部が近接される戸尻側縦枠５の見込方向一方側（前方側）端部に、斜め前方側に向く傾斜面を設けた例を示している。なお、出入口６及びこれを区画する開口枠を構成する縦枠４，５としては、上記のような態様に限られず、その他、種々の態様とされたものでもよい。また、図例では、片引き状に配される一枚の引戸パネル１０によって出入口６を開閉する態様とした例を示しているが、引き分け状に配される二枚の引戸パネル１０によって出入口６を開閉する態様等としてもよい。この場合は、二枚の引戸パネル１０のそれぞれをガイドする後記する上レール３０を設けた構成等としてもよい。
【００１３】
引戸パネル１０は、上下方向に長尺な略矩形平板状とされている。この引戸パネル１０の戸高寸法及び戸幅寸法は、出入口６の閉鎖が可能なように適宜の寸法とされている。また、この引戸パネル１０の戸先側端部の戸厚方向両側には、適宜の手掛部が設けられている。また、この引戸パネル１０の戸尻側端面は、閉鎖位置において戸尻側縦枠５の傾斜面に近接対面するように、斜め後方側に向く傾斜面とされている（図５（ｃ）も参照）。この引戸パネル１０の戸先側端部の上端部には、戸先側被ガイド部材１１が設けられ、引戸パネル１０の戸尻側端部の上端部には、戸尻側被ガイド部材１５が設けられている。
上レール３０は、引戸パネル１０の上端部に設けられた被ガイド部材１１，１５を、壁面３ａと平行状にガイドする直線部３６ａ，４０ａ及び出入口６の部位において壁面３ａに対して交差するように斜め戸厚方向にガイドする斜行部３６ｂ，４０ｂを有している。
また、上レール３０には、図４及び図５に示すように、下方側に向けて開口するガイド溝３１の溝底側を区画する底壁部３２及び溝長手方向で少なくとも一部が溝幅方向に見て互いに重なり合う構成とされ溝幅方向両側を区画する両側の側壁部３７，４１が設けられている。
【００１４】
この上レール３０の壁面３ａ側の側壁部としての壁側側壁部４１には、引戸パネル１０の戸尻側被ガイド部材１５の被ガイド部を構成するランナー本体１６をガイドする戸尻側ガイド部４０が設けられている。また、上レール３０の反壁面側の側壁部としての前側側壁部３７には、引戸パネル１０の戸先側被ガイド部材１１の被ガイド部を構成するランナー本体１２をガイドする戸先側ガイド部３６が設けられている。戸尻側ガイド部４０には、戸尻側被ガイド部材１５のランナー本体１６を壁面３ａと平行状にガイドする直線部４０ａ及び出入口６の戸尻側部位において壁面３ａに対して交差するように斜め戸厚方向にガイドする斜行部４０ｂが設けられている。戸先側ガイド部３６には、戸先側被ガイド部材１１のランナー本体１２を壁面３ａと平行状にガイドする直線部３６ａ及び出入口６の戸先側部位において壁面３ａに対して交差するように斜め戸厚方向にガイドする斜行部３６ｂが設けられている。
【００１５】
上記のような構成とすれば、上レール３０の直線部３６ａ，４０ａによって引戸パネル１０を壁面３ａに沿わせて平行状にガイドすることができる。また、出入口６を閉鎖する閉鎖位置では、図１（ｃ）及び図５（ｃ）に示すように、上レール３０の斜行部３６ｂ，４０ｂによって引戸パネル１０の戸厚方向の少なくとも一部を戸厚方向で壁面３ａよりも出入口６内に配置することができる。これにより、引戸パネル１０をアウトセット状に設けたものや戸袋納めとしたものと比べて、閉鎖位置において形成される引戸パネル１０の戸厚方向一方側面（前面）と壁面３ａとの段差を小さくすることができる。この結果、引戸パネル１０を閉鎖位置とすれば、開放位置で引戸パネル１０が沿わせられる壁面３ａによって区画される廊下等の空間が引戸パネル１０によって狭められるようなことを抑制することができる。
【００１６】
また、上レール３０の壁側側壁部４１に戸尻側ガイド部４０を設け、上レール３０の前側側壁部３７に戸先側ガイド部３６を設け、これら壁側側壁部４１及び前側側壁部３７を溝長手方向で少なくとも一部が溝幅方向に見て互いに重なり合う構成としている。このような構成とすれば、二本の案内レールを戸厚方向に並列状に設けたようなものと比べて、上レール３０の戸厚方向に沿う寸法のコンパクト化を図ることができる。また、引戸パネルの戸先側のブラケットを戸尻側よりも大きく突出させる必要があるようなものと比べて、引戸パネル１０の上端部の戸先側被ガイド部材１１及び戸尻側被ガイド部材１５の戸厚方向に沿う寸法のコンパクト化を図ることができる。また、例えば、二本の案内レールを上下方向に積み重ねるように設けたようなものと比べて、上レール３０の上下方向に沿う寸法のコンパクト化を図ることもできる。また、例えば、戸先側被ガイド部材をガイドするレールと戸尻側被ガイド部材をガイドするレールとを戸幅方向に直列状にかつ別体的に設けたものと比べて、引戸パネル１０の戸幅方向への可動範囲及び出入口６の有効開口幅を効果的に大きくすることができる。なお、上レール３０の具体的構成については後述する。
【００１７】
戸先側被ガイド部材１１及び戸尻側被ガイド部材１５は、図２及び図４に示すように、本実施形態では、引戸パネル１０の上端面から上方側に向けて突出するように設けられている。このような構成とすれば、戸先側被ガイド部材１１及び戸尻側被ガイド部材１５を、引戸パネル１０の戸厚方向一方側（前方側）や他方側（後方側）に付設状に設けたものと比べて、引戸パネル１０の戸厚方向両側面をすっきりとした外観にすることができ、見栄えを向上させることができる。また、これら戸先側被ガイド部材１１及び戸尻側被ガイド部材１５を、戸厚方向で概ね引戸パネル１０の戸厚内に納まるように設けた構成としている。図例では、戸先側被ガイド部材１１及び戸尻側被ガイド部材１５のランナー本体１２，１６の戸厚方向一方側の一部が引戸パネル１０の戸厚方向一方側面よりも僅かに突出する構成とした例を示しているが、このような態様に限られない。
【００１８】
また、戸先側被ガイド部材１１及び戸尻側被ガイド部材１５には、図２に示すように、引戸パネル１０の上端部の戸幅方向両側に設けられた取付凹所に取り付けられる取付部が設けられている。戸先側被ガイド部材１１及び戸尻側被ガイド部材１５のランナー本体１２，１６は、図４に示すように、各取付部から上方側に向けて突出するように設けられた支持部１１ａ，１５ａに支持されている。各ランナー本体１２，１６は、引戸パネル１０に対して上下方向に沿う軸回りに回転自在に保持されている。これらランナー本体１２，１６は、軸状とされた支持部１１ａ，１５ａに対して回転自在に保持されたものでもよく、または、取付部に対して回転自在とされた支持部１１ａ，１５ａに対して固定的に設けられたものでもよい。これら支持部１１ａ，１５ａは、引戸パネル１０の戸厚方向略中心部に位置するように設けられている。また、これら支持部１１ａ，１５ａは、引戸パネル１０の上端面からの突出寸法が互いに同寸法とされている。
【００１９】
これら戸先側被ガイド部材１１及び戸尻側被ガイド部材１５の各ランナー本体１２，１６は、互いに同高さに配される構成とされている。
戸先側被ガイド部材１１のランナー本体１２には、後記する戸先側ガイド部３６の案内片部３８上を走行するように上レール３０の溝幅方向に沿う軸回りに回転自在とされた片輪状の転動体１３が設けられている。この転動体１３は、ランナー本体１２の反壁面側（前方側）の側面に付設状に設けられている。また、このランナー本体１２の壁面３ａ側の側面は、平坦面状とされている。
また、図３（ａ）に示すように、戸先側被ガイド部材１１のランナー本体１２の下面側に、上下方向に沿う軸回りに回転自在とされた被ガイドローラー１４を設けた構成としている。この被ガイドローラー１４は、図４（ａ）に示すように、戸厚方向で戸厚方向略中心部に位置するように設けられている。また、本実施形態では、ランナー本体１２の下面側に、支持部１１ａから溝長手方向に等間隔を空けて一対の被ガイドローラー１４，１４を設けた構成としている（図３（ａ）参照）。
【００２０】
戸尻側被ガイド部材１５のランナー本体１６には、後記する戸尻側ガイド部４０の案内片部４２上を走行するように上レール３０の溝幅方向に沿う軸回りに回転自在とされた片輪状の転動体１７が設けられている。この転動体１７は、戸先側被ガイド部材１１の転動体１３と同寸同形状とされ、ランナー本体１６の壁面３ａ側の側面に付設状に設けられている。また、このランナー本体１６の反壁面側（前方側）の側面は、平坦面状とされている。
また、図２及び図５（ａ）に示すように、戸尻側被ガイド部材１５のランナー本体１６の上面側に、上下方向に沿う軸回りに回転自在とされた被ガイドローラー１８を設けた構成としている。この被ガイドローラー１８は、図４（ｂ）に示すように、戸厚方向で戸厚方向略中心部に位置するように設けられている。また、本実施形態では、ランナー本体１６の上面側に、支持部１５ａから溝長手方向に等間隔を空けて一対の被ガイドローラー１８，１８を設けた構成としている。
【００２１】
また、図３（ｂ）に示すように、このランナー本体１６の下面側に、上下方向に沿う軸回りに回転自在とされた被ガイドローラー１９を設けた構成としている。この被ガイドローラー１９は、図４（ｂ）に示すように、戸厚方向で戸厚方向略中心部に位置するように設けられている。また、図例では、ランナー本体１６の下面側における支持部１５ａの溝長手方向一方側に位置するように、一つの被ガイドローラー１９を設けた例を示しているが、上記同様、支持部１５ａから溝長手方向に等間隔を空けて一対の被ガイドローラー１９を設けてもよい。上記した戸先側被ガイド部材１１の被ガイドローラー１４，１４及び戸尻側被ガイド部材１５の被ガイドローラー１８，１８，１９は、互いに同寸同形状とされている。
【００２２】
上レール３０は、概ね戸幅方向に沿うように長尺状とされている。本実施形態では、図５（ｂ）に示すように、上レール３０の前側側壁部３７を、壁側側壁部４１の直線部の全長に亘って反壁面側に位置するように設けた構成としている。例えば、前側側壁部３７の直線部の戸尻側部位と壁側側壁部４１の直線部の戸先側部位とのみを溝幅方向に見て互いに重なり合うように設けた構成とすれば、上レール３０の直線部の反壁面側（前方側）において段差が目立ち易くなる。本実施形態によれば、このような段差が上レール３０の反壁面側に形成されることがなく見栄えを向上させることができる。
この上レール３０の戸先側ガイド部３６には、前側側壁部３７の下端部から壁面３ａ側に向けて突出し、戸先側被ガイド部材１１の転動体１３が走行する案内片部３８が設けられている。また、上レール３０の戸尻側ガイド部４０には、壁側側壁部４１の下端部から反壁面側に向けて突出し、戸尻側被ガイド部材１５の転動体１７が走行する案内片部４２が設けられている。
【００２３】
上記のような構成とすれば、引戸パネル１０を戸先側ガイド部３６及び戸尻側ガイド部４０に対して吊下支持させて上吊型でスライドさせることができる。これにより、本実施形態のように床レール等を床２側に設けない構成とできる。また、これら転動体１３，１７が設けられたランナー本体１２，１６を引戸パネル１０に対して上下方向に沿う軸回りに回転自在に保持させているので、上レール３０の直線部３６ａ，４０ａと斜行部３６ｂ，４０ｂとを円滑に方向転換しながら走行させることができる。また、例えば、戸先側ガイド部及び戸尻側ガイド部のそれぞれの溝幅方向両側に案内片部を設け、戸先側被ガイド部材及び戸尻側被ガイド部材の被ガイド部の溝幅方向両側に一対の転動体を設けた構成とすることも考えられる。この場合には、戸尻側ガイド部の斜行部と戸先側ガイド部の直線部との交差部において戸尻側被ガイド部材のランナー本体を支持する支持部を通過させる開口を戸先側ガイド部の直線部の壁面側の案内片部に設けることが望ましい。このような場合には、戸先側被ガイド部材の壁面側の転動体が開口を通過する際にがたつき、また、直線部と斜行部とを移動する戸尻側被ガイド部材の反壁面側の転動体が案内片部間の開口を通過する際にがたつくことが考えられる。本実施形態によれば、戸先側及び戸尻側それぞれの片輪状の転動体１３，１７が一連状に設けられた案内片部３８，４２上をそれぞれに走行することとなるので、上記のようながたつきの発生を抑制することができる。
【００２４】
これら案内片部３８，４２は、図４に示すように、互いに同高さとなるように設けられている。また、図５（ｂ）に示すように、戸先側ガイド部３６を構成する反壁面側の案内片部３８は、本実施形態では、前側側壁部３７の溝長手方向の全長に亘って設けられている。つまり、上レール３０の戸尻側端部から溝幅方向両側の案内片部３８，４２が設けられている。
戸先側ガイド部３６の直線部３６ａと戸尻側ガイド部４０の直線部４０ａとは、壁厚方向で壁体３の一方側（手前側）の壁面３ａに沿うように、かつ平行状に配される構成とされている。戸先側ガイド部３６の直線部３６ａの戸先側端部には、斜行部３６ｂが連なるように設けられている。戸尻側ガイド部４０の直線部４０ａの戸先側端部には、斜行部４０ｂが連なるように設けられている。戸先側ガイド部３６の斜行部３６ｂと戸尻側ガイド部４０の斜行部４０ｂとは、図５（ｂ）に示すように、互いに平行状に設けられている。これらの斜行部３６ｂ，４０ｂの先端部に各ランナー本体１２，１６が位置した状態が引戸パネル１０の閉鎖位置とされる（図１（ｃ）及び図５（ｃ）参照）。
【００２５】
戸先側ガイド部３６の案内片部３８は、直線部３６ａ及び斜行部３６ｂの全長に亘って一連状に設けられている。この案内片部３８は、直線部３６ａと斜行部３６ｂとの境界部（コーナー部）において平面視して円弧状となるように形成されている。また、図例では、この案内片部３８の突出方向先端部に、上方側に向けて突出する突片部を設けた例を示している。つまり、この突片部と案内片部３８と前側側壁部３７とによって上方側に向けて開口し、転動体１３を受け入れる受入溝を区画した構成としている。
【００２６】
また、本実施形態では、戸先側ガイド部３６における戸尻側ガイド部４０の斜行部４０ｂとの分岐部の戸先側に、前側側壁部３７に平行状にかつ対向するように配された戸先側対向壁部４７を設けた構成としている。この戸先側対向壁部４７は、底壁部３２，３４の壁面３側の端部から垂れ下がるように設けられている。また、この戸先側対向壁部４７の下端部には、案内片部３８に向けて突出するように突片部４８が設けられている。これら戸先側対向壁部４７及び突片部４８には、戸先側ガイド部３６の直線部３６ａ及び斜行部３６ｂの前側側壁部３７及び案内片部３８とそれぞれ略平行状となるように、直線部及び斜行部が設けられている。
また、これら戸先側対向壁部４７及び突片部４８の直線部は、溝長手方向に見て、戸尻側ガイド部４０の直線部４０ａの壁側側壁部４１及び案内片部４２と略一致するように設けられている。また、本実施形態では、図２に示すように、戸先側ガイド部３６の斜行部３６ｂの底壁部３４を含む部位を、他の部位とは別体とされた部材を接合した構成としている。
【００２７】
この戸先側ガイド部３６の案内片部３８の突出方向先端面と、これに対向する戸尻側ガイド部４０の直線部４０ａの案内片部４２及び突片部４８の突出方向先端面と、は、被ガイドローラー１４をガイドする開口側ガイド側壁部３９，４３，４９を構成する。これら開口側ガイド側壁部３９，４３，４９は、被ガイドローラー１４を溝幅方向両側から挟むようにガイド溝３１の開口側に設けられ、被ガイドローラー１４を戸先側ガイド部３６の直線部３６ａ及び斜行部３６ｂに沿ってガイドする構成とされている。このような構成とすれば、戸先側ガイド部３６の案内片部３８上を走行する片輪状の転動体１３が傾くようなことを抑制することができ、この転動体１３を直線部３６ａ及び斜行部３６ｂに沿って円滑にガイドすることができる。また、本実施形態では、戸先側被ガイド部材１１のランナー本体１２に、支持部１１ａから溝長手方向に等間隔を空けて一対の被ガイドローラー１４，１４を設けた構成としている。従って、直線部３６ａにおける直進性を向上させることができ、また、コーナー部において円滑に方向転換させることができる。互いに対向する開口側ガイド側壁部３９と開口側ガイド側壁部４３，４９との間の溝幅方向に沿う寸法は、被ガイドローラー１４，１４の外径に応じた寸法とされている。
【００２８】
戸尻側ガイド部４０の案内片部４２は、上記同様、直線部４０ａ及び斜行部４０ｂの全長に亘って一連状に設けられている。この案内片部４２は、直線部４０ａと斜行部４０ｂとの境界部（コーナー部）において平面視して円弧状となるように形成されている。また、図例では、上記同様、この案内片部４２の突出方向先端部に、上方側に向けて突出する突片部を設けた例を示している。つまり、この突片部と案内片部４２と壁側側壁部４１とによって上方側に向けて開口し、転動体１７を受け入れる受入溝を区画した構成としている。
また、本実施形態では、戸尻側ガイド部４０の斜行部４０ｂの壁側側壁部４１に平行状にかつ対向するように配された戸尻側対向壁部４４を設けた構成としている。この戸尻側対向壁部４４は、直線状の底壁部３２から斜め戸厚方向に分岐するように設けられた戸尻側の斜行部の底壁部３３の反壁面側の端部から垂れ下がるように設けられている。また、この戸尻側対向壁部４４の下端部には、案内片部４２に向けて突出するように突片部４５が設けられている。
これら戸尻側対向壁部４４及び突片部４５は、戸尻側ガイド部４０の斜行部４０ｂの壁側側壁部４１及び案内片部４２とそれぞれ略平行状となるように設けられている。
【００２９】
この戸尻側ガイド部４０の案内片部４２の突出方向先端面と、これに対向する戸先側ガイド部３６の直線部３６ａの案内片部３８及び突片部４５の突出方向先端面と、は、被ガイドローラー１９をガイドする開口側ガイド側壁部４３，３９，４６を構成する。これら開口側ガイド側壁部４３，３９，４５は、上記と概ね同様、被ガイドローラー１９を溝幅方向両側から挟むようにガイド溝３１の開口側に設けられ、被ガイドローラー１９を戸尻側ガイド部４０の直線部４０ａ及び斜行部４０ｂに沿ってガイドする構成とされている。互いに対向する開口側ガイド側壁部４３と開口側ガイド側壁部３９，４６との間の溝幅方向に沿う寸法は、被ガイドローラー１９の外径に応じた寸法とされている。
【００３０】
また、本実施形態では、上レール３０の底壁部３２，３３に、戸尻側被ガイド部材１５のランナー本体１６の上面側の被ガイドローラー１８を戸尻側ガイド部４０の直線部４０ａ及び斜行部４０ｂに沿ってガイドする底側ガイド溝３５を設けた構成としている。このような構成とすれば、戸尻側ガイド部４０の案内片部４２上を走行する片輪状の転動体１７が傾くようなことを抑制することができ、この転動体１７を直線部４０ａ及び斜行部４０ｂに沿って円滑にガイドすることができる。
また、本実施形態では、戸尻側被ガイド部材１５のランナー本体１６に、支持部１５ａから溝長手方向に等間隔を空けて一対の被ガイドローラー１８，１８を設けた構成としている。従って、直線部４０ａにおける直進性を向上させることができ、また、コーナー部において円滑に方向転換させることができる。
【００３１】
底側ガイド溝３５は、図４及び図５（ａ）に示すように、戸尻側ガイド部４０の直線部４０ａ及び斜行部４０ｂの底壁部３２，３３に一連状に、かつ下方側に向けて開口するように設けられている。この底側ガイド溝３５は、戸尻側ガイド部４０の直線部４０ａ及び斜行部４０ｂに沿うように設けられている。また、この底側ガイド溝３５の溝幅寸法は、被ガイドローラー１８，１８の外径に応じた寸法とされている。
なお、図例では、上レール３０の戸尻側端部及び戸尻側の斜行部４０ｂの先端部を溝長手方向に沿って開口させた例を示しているが、適宜の封止部材を設けるようにしてもよい。
また、上記のような構成とされた上レール３０は、天井側の適宜の固定対象にねじ等の固着具や適宜の固定具を介して固定されるもでもよい。また、上レール３０の固定対象としては、開口枠を構成する上枠でもよく、天井パネルや天井下地でもよい。
また、上レール３０の適所に、引戸パネル１０を全開位置及び閉鎖位置に規制する適宜のキャッチ機構や、引戸パネル１０を閉鎖側に助勢する助勢機構、全開側や閉鎖側に移動する引戸パネル１０を減速させる緩衝機構等を設けた構成としてもよい。
【００３２】
上記のような構成とされた引戸装置１においては、図１（ａ）及び図５（ａ）、（ｂ）に示すように、引戸パネル１０は、出入口６を開放させた全開位置では、壁体３の壁面３ａの手前側に位置するように配される。図例では、引戸パネル１０の戸先側端面が戸幅方向で出入口６内に位置しないように配される構成とした例を示している。つまり、全開位置においていわゆる引き残しが形成されない構成とした例を示しているが、引き残しが形成される構成としてもよい。
全開位置とされた引戸パネル１０を閉鎖側に移動させれば、図１（ｂ）及び図５（ａ）、（ｂ）に示すように、戸先側被ガイド部材１１の転動体１３が戸先側ガイド部３６の直線部３６ａの案内片部３８上を走行する。また、戸尻側被ガイド部材１５の転動体１７が戸尻側ガイド部４０の直線部４０ａの案内片部４２上を走行する。
そして、更に引戸パネル１０を閉鎖側に移動させ、各ランナー本体１２，１６が直線部３６ａ，４０ａと斜行部３６ｂ，４０ｂとのコーナー部を介して斜行部３６ｂ，４０ｂに至れば、引戸パネル１０が戸厚方向斜め後方側となる出入口６側に向けて移動する。
【００３３】
この際、戸先側被ガイド部材１１のランナー本体１２は、コーナー部の開口側ガイド側壁部３９，４９間を移動する下面側の被ガイドローラー１４，１４によって方向転換が円滑になされる。また、戸尻側被ガイド部材１５のランナー本体１６は、底側ガイド溝３５のコーナー部を移動する上面側の被ガイドローラー１８，１８によって方向転換が円滑になされる。なお、このような被ガイドローラー１４，１４，１８，１８を設けずに、上記した受入溝による規制によって各ランナー本体１２，１６の方向転換がなされる構成としてもよい。
そして、各ランナー本体１２，１６が斜行部３６ｂ，４０ｂの先端部に至れば、図１（ｃ）及び図５（ｃ）に示すように、引戸パネル１０が閉鎖位置となる。本実施形態では、閉鎖位置において引戸パネル１０の手前側に向く面と壁面３ａとが概ね同一平面状となる構成としている。図例では、閉鎖位置の引戸パネル１０の手前側に向く面が壁面３ａよりも僅かに手前側に位置する構成とした例を示しているが、このような態様に限られない。
また、閉鎖位置とされた引戸パネル１０を開放側に移動させれば、上記とは概ね逆、つまり、各ランナー本体１２，１６が斜行部３６ｂ，４０ｂ及びコーナー部を経て直線部３６ａ，４０ａに至り、全開位置となる。
【００３４】
また、本実施形態では、図４及び図６に示すように、引戸装置１は、上記のように上レール３０にガイドされる引戸パネル１０の下端側をガイドする複数の下端ガイド部材７を備えている。これら下端ガイド部材７は、互いに同様の構成とされ、床２側に埋込状に配されるケーシング８に対して上下動自在に被吸引部９ａを有した柱状部９が保持されたいわゆるマグネットガイドとされている。このような構成とすれば、引戸パネル１０が通過していない状態、つまり、引戸パネル１０が上方側に存在しない状態では、柱状部９が没入した状態となるので、下端ガイド部材７が障害になるようなことを抑制することができる。
この下端ガイド部材７の柱状部９は、本実施形態では、略円柱状とされ、外筒に対して二段階伸縮構造とされた伸縮ピンの内筒とされている。また、この柱状部９には、引戸パネル１０の下端部の被ガイド溝２０に設けられた吸引部２０ａに吸引される被吸引部９ａを構成する磁石が埋込状に設けられている。なお、被ガイド溝２０の吸引部２０ａは、磁石でもよく、鉄板等の強磁性体等でもよい。
【００３５】
引戸パネル１０の下端部には、図４に示すように、当該引戸パネル１０の下端側をガイドする下端ガイド部材７の柱状部９が差し入れられる被ガイド溝２０が設けられている。この被ガイド溝２０は、引戸パネル１０の下端面において下方側に向けて開口するように設けられている。この被ガイド溝２０は、引戸パネル１０の下端部に直接的に設けられたものでもよいが、図例では、引戸パネル１０の下端部に設けられた取付凹所に取り付けられた溝部材に設けられたものとしている。
また、この被ガイド溝２０には、図６（ａ）に示すように、引戸パネル１０が壁面３ａと平行状に移動する際に磁力によって吸引されて突出された柱状部９が挿入される戸幅方向に延びる直線被ガイド溝２１が設けられている。また、被ガイド溝２０には、図６（ｂ）、（ｃ）に示すように、引戸パネル１０が斜め戸厚方向に移動する際に磁力によって吸引されて突出された柱状部９が挿入される斜め戸厚方向に延びる斜行被ガイド溝２７が設けられている。
【００３６】
上記のような構成とすれば、これら直線被ガイド溝２１及び斜行被ガイド溝２７に磁力によって吸引されて突出された下端ガイド部材７，７の柱状部９，９が挿入され、引戸パネル１０の下端側のガイドがなされる。また、これら直線被ガイド溝２１及び斜行被ガイド溝２７を当該引戸パネル１０の下端面において開口させた構成、つまり、戸厚内に設けた構成としているので、これらが障害になるようなことを抑制することができる。これにより、例えば、ガイドピンが挿入される案内体を引戸の下端部に付設状に設けたようなものと比べて、見栄えを向上させることができ、また、接触による損傷等を抑制することができる。
【００３７】
また、本実施形態では、直線被ガイド溝２１を、引戸パネル１０の戸幅方向の全長に亘って設け、斜行被ガイド溝２７を、直線被ガイド溝２１を横断するように設けた構成としている。このような構成とすれば、全長に亘って設けられた直線被ガイド溝２１に挿入される下端ガイド部材７の柱状部９によって壁面３ａと平行状に移動する引戸パネル１０を安定的にガイドすることができる。
また、本実施形態では、斜行被ガイド溝２７を、引戸パネル１０における壁面３ａに対面する側の面（後面）において開口させた構成としている。このような構成とすれば、後面側の開口２８を介して突出状態の柱状部９を通過させることができ、開口させていないものと比べて、斜行被ガイド溝２７の溝長を効果的に大きくすることができる。
また、本実施形態では、斜行被ガイド溝２７を、引戸パネル１０における壁面３ａに対面する側とは戸厚方向で逆側の面（前面）において開口させた構成としている。このような構成とすれば、前面側の開口２９を介して突出状態の柱状部９を通過させることができ、開口させていないものと比べて、斜行被ガイド溝２７の溝長を効果的に大きくすることができる。つまり、本実施形態では、斜行被ガイド溝２７を、斜め戸厚方向に貫通させた構成としている。
【００３８】
また、本実施形態では、斜行被ガイド溝２７を戸先側端部及び途中部位に設けずに戸尻側端部のみに設けた構成としている。このような構成とすれば、図６に示すように、出入口６の床２側における戸尻側部位に下端ガイド部材７が設けられることとなる。これにより、戸先側部位や途中部位に下端ガイド部材７が設けられるものと比べて、開放時に目立ち易くなる出入口６の戸先側の床２側をすっきりとした外観にすることができる。
この斜行被ガイド溝２７は、上記した上レール３０の斜行部３６ｂ，４０ｂ（図５（ｂ）参照）と平行状に設けられている。また、この斜行被ガイド溝２７は、溝長手方向に見て略方形溝状とされている。また、この斜行被ガイド溝２７の溝底２６には、斜行被ガイド溝２７の溝底２６の概ね全体に亘って吸引部２０ａ（図４参照）が設けられている。この吸引部２０ａは、埋込状に設けられたものでもよく、溝底２６を構成するように設けられたものでもよい。
【００３９】
直線被ガイド溝２１は、戸厚方向略中心に位置するように設けられている。また、この直線被ガイド溝２１は、溝長手方向に見て略方形溝状とされている。また、この直線被ガイド溝２１の溝底２２，２３，２４，２５，２６には、斜行被ガイド溝２７と共通の溝底２６の戸先側に隣接する斜行側溝底２５を除いて吸引部２０ａが設けられている。つまり、直線被ガイド溝２１の斜行側溝底２５には、吸引部２０ａが設けられておらず、非吸引部となる当該部位が柱状部９の直上に至れば、突出されていた柱状部９が没入する構成とされている。この斜行側溝底２５には、柱状部９に設けられた被吸引部９ａが反発するように下面側が被吸引部９ａの上面側と同極とされた磁石を埋込状に設けたような態様としてもよい。
また、直線被ガイド溝２１の戸先側端部の戸先側溝底２２及び斜行側溝底２５の戸先側に隣接する戸尻側端部の戸尻側溝底２４には、吸引部２０ａとしての磁石を設け、これらの間の中間溝底２３には、吸引部２０ａとしての鉄板を設けたような態様等としてもよい。なお、溝底２２，２３，２４，２６に吸引部２０ａを設けた態様に代えて、または加えて、溝側壁側に設けた態様等としてもよく、被ガイド溝２０に設けられる吸引部２０ａとしては、その他、種々の箇所に設けられるものでもよい。
【００４０】
下端ガイド部材７は、上記のような構成とされた被ガイド溝２０に対応した位置となるように設置される。この下端ガイド部材７は、全開位置と閉鎖位置とを引戸パネル１０が移動する際の概ね全体に亘って被ガイド溝２０に少なくとも一つの柱状体９が挿入された状態となるように設置されるものでもよい。
本実施形態に係る下端ガイド構造は、引戸パネル１０の直線被ガイド溝２１に挿入され、上レール３０に上端側がガイドされて壁面３ａと平行状に移動する引戸パネル１０の下端側をガイドする直線ガイド部材７Ａを壁面３ａの戸厚方向一方側に設けた構造としている。また、同下端ガイド構造は、引戸パネル１０の斜行被ガイド溝２７に挿入され、上レール３０に上端側がガイドされて斜め戸厚方向に移動する引戸パネル１０の下端側をガイドする斜行ガイド部材７Ｂを設けた構造としている。
直線ガイド部材７Ａは、壁面３ａと平行状に移動する引戸パネル１０の直下に位置するように配される。本実施形態では、複数（図例では、２つ）の直線ガイド部材７Ａ，７Ａを戸幅方向に間隔を空けて設けた構成としている。また、全開位置の引戸パネル１０の直線被ガイド溝２１の途中部位（図例では、中間溝底２３の部位）の直下に位置するように第１の直線ガイド部材７Ａを設けた構成としている。また、出入口６の戸尻側部位の手前側に位置するように第２の直線ガイド部材７Ａを設けた構成としている。この第２の直線ガイド部材７Ａは、閉鎖側に移動する引戸パネル１０が斜め戸厚方向に移動する直前で斜行側溝底２５の直下に位置するように配される（図６（ｂ）参照）。
【００４１】
斜行ガイド部材７Ｂは、斜め戸厚方向に移動する引戸パネル１０の直下に位置するように配される。本実施形態では、この斜行ガイド部材７Ｂを、直線ガイド部材７Ａよりも戸厚方向で出入口６側（後方側）に位置するように設けた構造としている。また、本実施形態では、複数（図例では、２つ）の斜行ガイド部材７Ｂ，７Ｂを斜行被ガイド溝２７の溝長手方向に沿う方向に間隔を空けて設けた構成としている。また、出入口６の戸尻側部位の手前側に位置するように第１の斜行ガイド部材７Ｂを設けた構成としている。この第１の斜行ガイド部材７Ｂは、閉鎖側に移動する引戸パネル１０が斜め戸厚方向に方向を切り替える際に斜行被ガイド溝２７の後面側の開口２８側部位の直下に位置するように配される（図６（ｂ）参照）。また、閉鎖位置の引戸パネル１０の斜行被ガイド溝２７の途中部位（図例では、戸厚方向略中心部位）の直下に位置するように、出入口６の戸尻側部位に第２の斜行ガイド部材７Ｂを設けた構成としている。
【００４２】
上記のような下端ガイド構造においては、引戸パネル１０の下端側が以下のようにガイドされる。
全開位置から閉鎖側に引戸パネル１０を移動させる際には、図６（ａ）に示すように、直線被ガイド溝２１の途中部位に柱状部９が挿入された第１の直線ガイド部材７Ａによって引戸パネル１０の下端側が壁面３ａと平行状にガイドされる。更に閉鎖側に移動されて直線被ガイド溝２１の戸先側溝底２２が第２の直線ガイド部材７Ａの直上に至れば、柱状部９が突出されて直線被ガイド溝２１に挿入され、引戸パネル１０の下端側が壁面３ａと平行状にガイドされる。更に閉鎖側に移動されて斜行側溝底２５が第２の直線ガイド部材７Ａの直上に至れば、吸引力が低下し、または反発によってこの第２の直線ガイド部材７Ａの柱状部９が没入する。
図６（ｂ）に示すように、引戸パネル１０が斜め戸厚方向に移動し、斜行被ガイド溝２７が第１の斜行ガイド部材７Ｂの直上に至れば、柱状部９が突出されて後面側の開口２８を介して斜行被ガイド溝２７に挿入され、引戸パネル１０の下端側が斜め戸厚方向にガイドされる。更に斜め戸厚方向に引戸パネル１０が移動され斜行被ガイド溝２７が第２の斜行ガイド部材７Ｂの直上に至れば、柱状部９が突出されて後面側の開口２８を介して斜行被ガイド溝２７に挿入される。これにより、引戸パネル１０の下端側が斜め戸厚方向にガイドされ、図６（ｃ）に示すように、閉鎖位置となる。
【００４３】
上記とは逆に閉鎖位置から開放側に引戸パネル１０を移動させる際には、斜行被ガイド溝２７に柱状部９が挿入された第２の斜行ガイド部材７Ｂによって引戸パネル１０の下端側が斜め戸厚方向にガイドされる。更に開放側に移動されて斜行被ガイド溝２７の前面側の開口２９部位が第１の斜行ガイド部材７Ｂの直上に至れば、柱状部９が突出されて斜行被ガイド溝２７に挿入され、引戸パネル１０の下端側が斜め戸厚方向にガイドされる。また、更に開放側に移動されて直線被ガイド溝２１の戸尻側溝底２４が第２の直線ガイド部材７Ａの直上に至れば、柱状部９が突出されて直線被ガイド溝２１に挿入され、引戸パネル１０の下端側が壁面３ａと平行状にガイドされる。また、更に開放側に移動されて直線被ガイド溝２１の戸尻側端部の溝底が第１の直線ガイド部材７Ａの直上に至れば、柱状部９が突出されて直線被ガイド溝２１に挿入され、引戸パネル１０の下端側が壁面３ａと平行状にガイドされ、全開位置となる。
【００４４】
なお、本実施形態では、斜行被ガイド溝２７を戸尻側端部のみに設けた例を示しているが、このような態様に代えて、または加えて戸先側端部や戸幅方向途中部位に設けた態様としてもよい。この場合は、斜行ガイド部材７Ｂを設ける位置や個数、斜め戸厚方向に移行する際に直線ガイド部材７Ａの柱状部９を没入させる直線ガイド溝２１の非吸引部の位置や個数等を適宜、変形するようにすればよい。また、下端ガイド部材７を設ける位置や個数は、引戸パネル１０の戸幅寸法や被ガイド溝２０の構成等に応じて適宜、変形可能である。
【００４５】
次に、他の実施形態について、図面を参照しながら説明する。
なお、以下の実施形態では、上記第１実施形態との相違点について主に説明し、同様の構成については、同一の符号を付し、その説明を省略または簡略に説明する。また、上記第１実施形態と同様の動作や作用等についても説明を省略または簡略に説明する。
【００４６】
図７は、第２実施形態に係る引戸装置１Ａの一例及びこれを用いた下端ガイド構造の一例を模式的に示す図である。
本実施形態では、引戸パネル１０Ａの下端部に設けられた被ガイド溝２０Ａの構成及び下端ガイド部材７の配置態様が上記第１実施形態とは主に異なる。
本実施形態では、図７（ａ）に示すように、被ガイド溝２０Ａの直線被ガイド溝２１Ａと斜行被ガイド溝（戸先側斜行被ガイド溝）２７Ａとを、非連通状に区分して設けた構成としている。つまり、戸先側斜行被ガイド溝２７Ａを、直線被ガイド溝２１Ａを横断させることなく、かつ直線被ガイド溝２１Ａに連通しないように設けた構成としている。このような構成とすれば、上記のように直線被ガイド溝２１を横断するように斜行被ガイド溝２７を設けたものと比べて、直線被ガイド溝２１Ａ及び戸先側斜行被ガイド溝２７Ａに挿入された下端ガイド部材７の柱状部９の意図しない側への侵入を抑制することができる。
【００４７】
また、本実施形態では、戸先側斜行被ガイド溝２７Ａを戸先側端部に設けた構成としている。このような構成とすれば、開放時に手掛け操作されて戸厚方向に振れ易くなる傾向がある戸先側部位の下端側の振れを効果的に抑制することができる。
また、上記同様、この戸先側斜行被ガイド溝２７Ａを、斜め戸厚方向に貫通させた構成としている。つまり、引戸パネル１０Ａの戸先側端部の前面側に戸先側斜行被ガイド溝２７Ａの開口２９Ａを設け、引戸パネル１０Ａの戸先側端部の後面側に戸先側斜行被ガイド溝２７Ａの開口２８Ａを設けた構成としている。
この戸先側斜行被ガイド溝２７Ａは、上記同様、上レール３０の斜行部３６ｂ，４０ｂ（図５（ｂ）参照）と平行状に設けられている。また、この戸先側斜行被ガイド溝２７Ａの溝底２６Ａには、戸先側斜行被ガイド溝２７Ａの溝底２６Ａの概ね全体に亘って吸引部２０ａ（図４参照）が設けられている。
【００４８】
直線被ガイド溝２１Ａは、戸先側端部２３Ａが戸先側斜行被ガイド溝２７Ａとの間に壁部を隔てて設けられ、戸尻側に向けて延びるように設けられている。本実施形態では、この直線被ガイド溝２１Ａの戸尻側端部に連ならせるように戸尻側斜行被ガイド溝２４Ａを設けた構成としている。
戸尻側斜行被ガイド溝２４Ａは、直線被ガイド溝２１Ａの戸尻側端部から斜め戸厚方向一方側（前方側）に向けて延びるように設けられている。この戸尻側斜行被ガイド溝２４Ａは、上記同様、上レール３０の斜行部３６ｂ，４０ｂ（図５（ｂ）参照）と平行状に設けられている。また、この戸尻側斜行被ガイド溝２４Ａにおける直線被ガイド溝２１Ａの戸尻側端部との境界部は、略円弧状に湾曲した形状とされている。また、この戸尻側斜行被ガイド溝２４Ａを、引戸パネル１０Ａにおける壁面３ａに対面する側とは戸厚方向で逆側の面（前面）において開口させた構成としている。つまり、引戸パネル１０Ａの戸尻側端部の前面側に戸尻側斜行被ガイド溝２４Ａの開口２５Ａを設けた構成としている。
また、この戸尻側斜行被ガイド溝２４Ａの溝底を含み、直線被ガイド溝２１Ａの溝底２２Ａには、概ね全体に亘って吸引部２０ａ（図４参照）が設けられている。
【００４９】
本実施形態に係る下端ガイド構造は、引戸パネル１０Ａの直線被ガイド溝２１Ａに挿入される直線ガイド部材７Ａを壁面３ａの戸厚方向一方側に設けた構造としている。本実施形態では、一つの直線ガイド部材７Ａを設けた構成としている。また、この直線ガイド部材７Ａを、全開位置における引戸パネル１０Ａの直線被ガイド溝２１Ａの戸先側端部２３Ａの直下に位置するように設けた構成としている。図例では、戸尻側縦枠５の手前側に位置するように直線ガイド部材７Ａを設けた構成としている。
また、同下端ガイド構造は、引戸パネル１０Ａの戸先側斜行被ガイド溝２７Ａに挿入される斜行ガイド部材７Ｂを設けた構造としている。本実施形態では、一つの斜行ガイド部材７Ｂを設けた構成としている。また、この斜行ガイド部材７Ｂを、出入口６の戸先側部位に位置するように設けた構成としている。
【００５０】
上記のような下端ガイド構造においては、引戸パネル１０Ａの下端側が以下のようにガイドされる。
全開位置から閉鎖側に引戸パネル１０Ａを移動させる際には、図７（ａ）に示すように、直線被ガイド溝２１Ａの戸先側端部２３Ａに柱状部９が挿入された直線ガイド部材７Ａによって引戸パネル１０Ａの下端側が壁面３ａと平行状にガイドされる。更に閉鎖側に移動されて戸尻側斜行被ガイド溝２４Ａが直線ガイド部材７Ａの直上に至れば、図７（ｂ）に示すように、挿入された柱状部９によって引戸パネル１０Ａの下端側が斜め戸厚方向にガイドされる。また、更に閉鎖側に移動されれば、前面側の開口２５Ａを介して直線ガイド部材７Ａの柱状部９が脱離される。この際、戸先側斜行被ガイド溝２７Ａの後面側の開口２８Ａ部位が斜行ガイド部材７Ｂの直上に至り、柱状部９が突出されて戸先側斜行被ガイド溝２７Ａに挿入され、引戸パネル１０の下端側が斜め戸厚方向にガイドされ、図７（ｃ）に示すように、閉鎖位置となる。
【００５１】
上記とは逆に閉鎖位置から開放側に引戸パネル１０Ａを移動させる際には、戸先側斜行被ガイド溝２７Ａに柱状部９が挿入された斜行ガイド部材７Ｂによって引戸パネル１０Ａの下端側が斜め戸厚方向にガイドされる。更に開放側に移動されれば、後面側の開口２８Ａを介して斜行ガイド部材７Ｂの柱状部９が脱離される。この際、戸尻側斜行被ガイド溝２４Ａの前面側の開口２５Ａ部位が直線ガイド部材７Ａの直上に至り、柱状部９が突出されて挿入されて引戸パネル１０Ａの下端側が斜め戸厚方向にガイドされる。また、更に開放側に移動されて直線被ガイド溝２１Ａが直線ガイド部材７Ａの直上に至れば、直線被ガイド溝２１Ａに挿入された柱状部９によって引戸パネル１０Ａの下端側が壁面３ａと平行状にガイドされ、全開位置となる。
【００５２】
上記のような構成とされた本実施形態に係る引戸装置１Ａ及び下端ガイド構造においても、上記第１実施形態と概ね同様の効果を奏する。
なお、本実施形態においても、斜行被ガイド溝２４Ａ，２７Ａや斜行ガイド部材７Ｂ、直線ガイド部材７Ａを設ける位置や個数、直線被ガイド溝２１Ａの構成は、適宜、変形可能である。
また、上記各実施形態では、斜め戸厚方向に貫通する斜行被ガイド溝２７，２７Ａを設けた例を示しているが、引戸パネル１０，１０Ａの戸厚方向両側または一方側において開口していない構成等としてもよい。
【００５３】
また、上記各実施形態では、戸先側被ガイド部材１１及び戸尻側被ガイド部材１５を、引戸パネル１０，１０Ａの上端面から上方側に向けて突出するように設けた構成とした例を示しているが、このような態様に限られない。例えば、戸先側被ガイド部材１１及び戸尻側被ガイド部材１５を、引戸パネル１０，１０Ａの戸厚方向一方側に付設状に設けた構成等としてもよい。
また、上記各実施形態では、上レール３０の前側側壁部３７を、壁側側壁部４１の直線部の全長に亘って反壁面側に位置するように設けた例を示しているが、このような態様に限られない。例えば、前側側壁部３７の直線部の戸尻側部位と壁側側壁部４１の直線部の戸先側部位とのみを溝幅方向に見て互いに重なり合うように設けた構成等としてもよい。
【００５４】
また、上記各実施形態では、上レール３０に片輪状の転動体１３，１７が走行する案内片部３８，４２を設けた例を示しているが、引戸パネル１０，１０Ａの上端側の被ガイド部材１１，１５及び上レール３０としては、その他、種々の変形が可能である。例えば、引戸パネル１０，１０Ａの上端側に、転動体１３，１７に代えてブロック状や片状、球状等の種々の構成とされた被ガイド部を設けた態様としてもよく、また、この被ガイド部に対応させて上レール３０に適宜のガイド溝等を設けた構成等としてもよい。
また、戸先側被ガイド部材１１をガイドする戸先側ガイド部３６を前側側壁部３７に設け、戸尻側被ガイド部材１５をガイドする戸尻側ガイド部４０を壁側側壁部４１に設けた例を示しているが、このような態様に限られない。例えば、戸尻側被ガイド部材１５の被ガイド部を戸先側被ガイド部材１１の被ガイド部よりも上方側に位置するように設けた構成としてもよい。この場合は、上レールに、戸先側被ガイド部材１１の被ガイド部をガイドする下段レール部と戸尻側被ガイド部材１５の被ガイド部をガイドする上段レール部とを積み重ねるように設けたような態様等としてもよい。また、このような態様に代えて、戸先側被ガイド部材１１の被ガイド部をガイドするレール部と戸尻側被ガイド部材１５の被ガイド部をガイドするレール部とを、戸厚方向に並列状に設けたり、戸幅方向に間隔を空けて設けたりしたような態様等としてもよい。上記各実施形態に係る引戸装置１，１Ａが備える各部材の具体的構成としては、上記した構成に限られず、その他、種々の変形が可能である。
【符号の説明】
【００５５】
１，１Ａ          引戸装置
７                下端ガイド部材
７Ａ              直線ガイド部材（下端ガイド部材）
７Ｂ              斜行ガイド部材（下端ガイド部材）
８                ケーシング
９                柱状部
９ａ              被吸引部
１０，１０Ａ      引戸パネル
１１              戸先側被ガイド部材（被ガイド部材）
１５              戸尻側被ガイド部材（被ガイド部材）
２１，２１Ａ      直線被ガイド溝
２４Ａ            戸尻側斜行被ガイド溝（斜行被ガイド溝）
２７              斜行被ガイド溝
２７Ａ            戸先側斜行被ガイド溝（斜行被ガイド溝）
３０              上レール
３６ａ，４０ａ    直線部
３６ｂ，４０ｂ    斜行部
２                床
３                壁体
３ａ              壁面
６                出入口
【図１】
2020105833.tif 000003
【図２】
2020105833.tif 000004
【図３】
2020105833.tif 000005
【図４】
2020105833.tif 000006
【図５】
2020105833.tif 000007
【図６】
2020105833.tif 000008
【図７】
2020105833.tif 000009